(57)【要約】【課題】  加入者宅でＣＡＴＶセンター局から送られたＣＡＴＶ用端末装置用動作プログラムのダウンロード状況に関係なく放送信号の受信が可能なＣＡＴＶシステムを及びＣＡＴＶ用端末装置を提供することを課題とする。【解決手段】  加入者宅に引き込まれたＣＡＴＶ伝送線の信号を分配して放送信号受信装置と双方向通信装置に接続し，放送信号受信装置と双方向通信装置はディジタル信号を伝送する接続線で接続することにより，放送信号受信装置の動作プログラムが双方向通信装置を介して放送信号受信装置のメモリーにダウンロードされる。【選択図】  図１
2005176111.tif 000002
【特許請求の範囲】
【請求項１】
ＣＡＴＶセンター局，ＣＡＴＶ網，ＣＡＴＶ用端末装置とによるＣＡＴＶシステムにおいて，
ＣＡＴＶセンター局は放送信号を送出する放送信号送出手段と，
ＣＡＴＶ用端末装置に設けた放送信号受信装置の動作プログラムをＣＡＴＶ用端末装置に送出するプログラム送出手段とを有し，
該ＣＡＴＶ用端末装置は，ＣＡＴＶセンター局から送出された放送信号を受信する放送信号受信装置と，
ＣＡＴＶセンター局及びＣＡＴＶセンター局を介してＣＡＴＶ網の内部及び外部と双方向通信をする双方向通信装置とを備え，
前記放送信号受信装置と前記双方向通信装置は，共にＣＡＴＶ伝送線に接続されると共に，これら２つの装置は互いにディジタル信号を伝送する接続線で接続され，ＣＡＴＶセンター局からＣＡＴＶ用端末装置に送出された，放送信号受信装置の動作プログラムを，該双方向通信装置及びディジタル信号を伝送する接続線を介して，放送信号受信装置の記憶装置にダウンロードすることを特徴とするＣＡＴＶシステム。
【請求項２】
請求項１に記載のＣＡＴＶシステムで用いられるＣＡＴＶ用端末装置であって，
筐体には放送信号受信装置と，
ＣＡＴＶ伝送線と接続するための入力端子と，
テレビ受像機に映像信号及び音声信号を出力するための出力端子と，
ＣＡＴＶセンター局からＣＡＴＶ用端末装置に送出された，前記放送信号受信装置の動作プログラムを，該放送信号受信装置の記憶装置に格納するためのプログラム入力端子を備えたことを特徴とするＣＡＴＶ用端末装置。
【請求項３】
前記筐体内にＣＡＴＶ伝送線を介して入力されたＣＡＴＶ信号を分岐または分配する分岐・分配手段を備え，
筐体に設けた入力端子と前記分岐・分配手段と接続され，該分岐・分配手段の一方の出力が前記放送信号受信装置と接続され，前記分岐・分配手段の他方の出力が筐体に設けたＣＡＴＶ信号出力端子に接続されていることを特徴とする請求項２に記載のＣＡＴＶ用端末装置。
【請求項４】
前記筐体に双方向通信装置と，
端末機と接続するためのデータ入出力端子を備え，
ＣＡＴＶセンター局からＣＡＴＶ用端末装置に送出された，放送信号受信装置の動作プログラムを，放送信号受信装置の記憶装置にダウンロードすることを特徴とする請求項２に記載のＣＡＴＶ用端末装置。
【発明の詳細な説明】
【技術分野】
【０００１】
本発明は，主にＣＡＴＶシステムに利用されるＣＡＴＶ用端末装置に関し，詳しくは放送信号を受信する装置の動作プログラムを更新するシステム及びこのシステムに用いられるＣＡＴＶ用端末装置に関する。
【背景技術】
【０００２】
従来のＣＡＴＶシステムでは，放送信号の受信およびインターネット等の双方向通信を行う場合，それぞれ対応した端末装置を用いて実現していた。（例えば，特許文献１の図１参照）
【０００３】
【特許文献１】特開２００２−２６１８２１号公報
【発明の開示】
【発明が解決しようとする課題】
【０００４】
従来のＣＡＴＶシステムにおいて，放送信号受信装置の動作プログラムを更新する場合，一般的には，放送信号を受信する装置に設けたチューナを介して放送受信待機中に動作プログラムをダウンロードしていた。このため，放送信号を受信する装置の動作プログラムをダウンロードしている間は放送信号の受信ができない構成になっていた。また，加入者宅でＣＡＴＶセンター局から送られた放送信号を受信している間は，放送信号を受信する装置の動作プログラムのダウンロードができないといった問題が有った。
【０００５】
そこで本願においては，こうした問題点を解決するためになされたものであり，その目的は，加入者宅で，放送信号を受信する装置の動作プログラムのダウンロード状況に影響されることなく放送信号の受信ができるＣＡＴＶシステムを提供することを課題とする。
他の目的は，加入者宅で放送信号を受信する装置の動作プログラムのダウンロード状況に影響されることなく放送信号の受信ができるＣＡＴＶ用端末装置を提供することを課題とする。
他の目的は，放送信号を受信する装置のプログラムのダウンロードに要する時間を短縮するシステム，及び装置を提供することを課題とする。
【課題を解決するための手段】
【０００６】
上記課題を解決するために，請求項1の発明は，ＣＡＴＶセンター局，ＣＡＴＶ網，ＣＡＴＶ用端末装置とによるＣＡＴＶシステムにおいて，ＣＡＴＶセンター局は放送信号を送出する放送信号送出手段と，ＣＡＴＶ用端末装置に設けた放送信号受信装置の動作プログラムをＣＡＴＶ用端末装置に送出するプログラム送出手段とを有し，該ＣＡＴＶ用端末装置は，ＣＡＴＶセンター局から送出された放送信号を受信する放送信号受信装置と，ＣＡＴＶセンター局及びＣＡＴＶセンター局を介してＣＡＴＶ網の内部及び外部と双方向通信をする双方向通信装置とを備え，前記放送信号受信装置と前記双方向通信装置は，共にＣＡＴＶ伝送線に接続されると共に，これら２つの装置は互いにディジタル信号を伝送する接続線で接続され，ＣＡＴＶセンター局からＣＡＴＶ用端末装置に送出された，放送信号受信装置の動作プログラムを，該双方向通信装置及びディジタル信号を伝送する接続線を介して，放送信号受信装置の記憶装置にダウンロードするように構成される。
【０００７】
請求項２の発明は，請求項１に記載のＣＡＴＶシステムで用いられるＣＡＴＶ用端末装置であって，筐体には放送信号受信装置と，ＣＡＴＶ伝送線と接続するための入力端子と，テレビ受像機に映像信号及び音声信号を出力するための出力端子と，ＣＡＴＶセンター局からＣＡＴＶ用端末装置に送出された，前記放送信号受信装置の動作プログラムを，該放送信号受信装置の記憶装置に格納するためのプログラム入力端子を備えるように構成される。
【０００８】
請求項３の発明は，請求項２に記載のＣＡＴＶ用端末装置において，前記筐体内にＣＡＴＶ伝送線を介して入力されたＣＡＴＶ信号を分岐または分配する分岐・分配手段を備え，筐体に設けた入力端子と前記分岐・分配手段が接続され，該分岐・分配手段の一方の出力と前記放送信号受信装置が接続され，前記分岐・分配手段の他方の出力を筐体に設けたＣＡＴＶ信号出力端子と接続するように構成される。
【０００９】
請求項４の発明は，請求項２に記載のＣＡＴＶ用端末装置において，前記筐体に双方向通信装置と，端末機と接続するためのデータ入出力端子を備え，ＣＡＴＶセンター局からＣＡＴＶ用端末装置に送出された，放送信号受信装置の動作プログラムを，放送信号受信装置の記憶装置にダウンロードするように構成される。
【発明の効果】
【００１０】
以上詳述したように，請求項１の発明によれば，ＣＡＴＶセンター局，ＣＡＴＶ網，ＣＡＴＶ用端末装置とによるＣＡＴＶシステムにおいて，ＣＡＴＶセンター局は放送信号を送出する放送信号送出手段と，ＣＡＴＶ用端末装置に設けた放送信号受信装置の動作プログラムをＣＡＴＶ用端末装置に送出するプログラム送出手段とを有し，該ＣＡＴＶ用端末装置は，ＣＡＴＶセンター局から送出された放送信号を受信する放送信号受信装置と，ＣＡＴＶセンター局及びＣＡＴＶセンター局を介してＣＡＴＶ網の内部及び外部と双方向通信をする双方向通信装置とを備え，前記放送信号受信装置と前記双方向通信装置は，共にＣＡＴＶ伝送線に接続されると共に，これら２つの装置は互いにディジタル信号を伝送する接続線で接続され，ＣＡＴＶセンター局からＣＡＴＶ用端末装置に送出された，放送信号受信装置の動作プログラムを，該双方向通信装置及びディジタル信号を伝送する接続線を介して，放送信号受信装置の記憶装置にダウンロードするように構成したので，
加入者宅で，放送信号を受信する装置の動作プログラムのダウンロード状況に影響されることなく放送信号の受信ができる。
また，放送信号を受信する装置の動作プログラムのダウンロードに要する時間を短縮することができる。
【００１１】
請求項２の発明によれば，請求項１に記載のＣＡＴＶシステムで用いられるＣＡＴＶ用端末装置であって，筐体には放送信号受信装置と，ＣＡＴＶ伝送線と接続するための入力端子と，テレビ受像機に映像信号及び音声信号を出力するための出力端子と，ＣＡＴＶセンター局からＣＡＴＶ用端末装置に送出された，前記放送信号受信装置の動作プログラムを，該放送信号受信装置の記憶装置に格納するためのプログラム入力端子を備えるように構成したので，
双方向通信装置，信号の分岐・分配手段の保守，変更が容易にできる。
【００１２】
請求項３の発明によれば，請求項２に記載のＣＡＴＶ用端末装置において，前記筐体内にＣＡＴＶ伝送線を介して入力されたＣＡＴＶ信号を分岐または分配する分岐・分配手段を備え，筐体に設けた入力端子と前記分岐・分配手段が接続され，該分岐・分配手段の一方の出力と前記放送信号受信装置が接続され，前記分岐・分配手段の他方の出力を筐体に設けたＣＡＴＶ信号出力端子と接続するように構成したので，
ＣＡＴＶ用端末装置の配線が簡略化でき，信号の分岐・分配手段の保守，変更が容易にできる。
【００１３】
請求項４の発明によれば，請求項２に記載のＣＡＴＶ用端末装置において，前記筐体に双方向通信装置と，端末機と接続するためのデータ入出力端子を備え，ＣＡＴＶセンター局からＣＡＴＶ用端末装置に送出された，放送信号受信装置の動作プログラムを，放送信号受信装置の記憶装置にダウンロードするように構成したので，
ＣＡＴＶ用端末装置の配線が簡略化でき，ＣＡＴＶ用端末装置をコンパクトにすることができる。
【発明を実施するための最良の形態】
【００１４】
以下に，本発明を具体化した実施形態の例を，図面を基に詳細に説明する。
図４は本発明に係るＣＡＴＶシステムの１例を示し，図１，２，３は前記ＣＡＴＶシステムにおいて使用されるＣＡＴＶ用端末装置の例を示している。
【実施例１】
【００１５】
図４に示すように，ＣＡＴＶセンター局１００とＣＡＴＶ用端末装置１はＣＡＴＶ網１０を介して接続されている。ＣＡＴＶセンター局１００において，地上波用受信アンテナ１２０，及び衛星受信アンテナ１１９で受信した放送信号はチューナ１０１〜１０６，変調器１０７を介して混合器１１７に入力される。一方，ＣＡＴＶ用端末装置用動作プログラムの信号はＳＴＢダウンロードサーバー１１１からスイッチングハブ１１２，ＣＭＴＳ１１４〜１１６を介して混合器１１８に入力され，混合器１１７へ入力される。混合器１１７の出力信号はＣＡＴＶセンター局１００からＣＡＴＶ網１０へ送出される。ＣＡＴＶセンター局１００から送出された放送信号とＣＡＴＶ用端末装置用動作プログラムの信号はＣＡＴＶ網１０を介して加入者宅へ伝送される。
【００１６】
加入者宅へ引き込まれたＣＡＴＶ伝送路１０の引込み線（ＣＡＴＶ伝送線）１８はＣＡＴＶ用端末装置１に接続され，放送信号と双方向通信信号とに分けられて，それぞれテレビジョン受像機２，端末機としてのパーソナルコンピュータ３に接続される。
ＣＡＴＶ用端末装置１の内部では，ＣＡＴＶセンター局１００から送出された放送信号受信装置２００の動作プログラムを放送信号受信装置２００のメモリー１４にダウンロードする。
【００１７】
次に加入者宅のＣＡＴＶ用端末装置１について詳しく説明する。図１はＣＡＴＶ用端末装置１の１例である。
ＣＡＴＶ用端末装置１ａの筐体にはＣＡＴＶ信号入力端子２０，映像・音声出力端子２１，プログラム入力端子２２が備えられており，その内部には放送信号受信装置２００を内蔵している。
信号分配器１６の入力端子１５はＣＡＴＶ伝送線１８と接続されている。また，信号分配器１６の一方の出力端子は前記ＣＡＴＶ用端末装置１のＣＡＴＶ信号入力端子２０に接続されている。また，双方向通信装置２０１から出力された放送信号受信装置２００の動作用プログラムデータはプログラム入力端子２２を介してＣＡＴＶ用端末装置１に入力される。
ＣＡＴＶ用端末装置１ａはＣＡＴＶセンター局１００から送出された放送信号の中から希望のチャンネルを選局するチューナ１２，チューナ１２の出力信号をテレビジョン受像機２が扱う信号に変換するための信号処理部１７，チューナ１２の制御や放送信号受信装置２００の動作プログラムを受け取る制御部１３，放送信号受信装置２００の動作プログラムやその他のデータを記憶する記憶装置（メモリー）１４で構成されている。
放送信号受信装置２００に入力された信号は，チューナ１２で希望のチャンネルが選局され，信号処理部１７でテレビジョン受像機２が扱う信号に変換介されてテレビジョン受像機２に出力される。
【００１８】
信号分配器１６のもう一方の出力は双方向通信装置２０１に接続される。
双方向通信装置２０１は，ケーブルモデム５とスイッチングハブ４で構成されており，複数のディジタル信号入出力端子を有し，放送信号受信装置２００及びインターネットの通信を行うための端末機としてのパーソナルコンピュータ３等が接続される。双方向通信装置２０１と放送信号受信装置２００はディジタル信号を伝送する接続線２０２で接続されている。ＣＡＴＶ用端末装置用動作プログラムのデータ信号は，双方向通信装置２０１から放送信号受信装置２００に入力され，制御部１３を介してメモリー１４へダウンロードされる。このダウンロードはチューナ１２を介することなく行われるので，放送信号の受信中でも放送信号の受信を妨げることなく行うことができる。なお，チューナ１２はメモリー１４にダウンロードされたデータを基に制御部１３の命令により，選局，変調方式やネットワークＩＤの読み取り等の処理をする。
また，チューナ１２を介してダウンロードする場合はその通信速度は数１００Ｋｂｐｓ程度であるのに対して双方向通信装置２０１でダウンロードする場合は１０〜３０Ｍｂｐｓ程度の速度で通信が可能なのでダウンロードの時間を大幅に短縮することができる。
【００１９】
なお，放送信号受信装置２００は１つの筐体に収められており，双方向通信装置２０１は放送信号受信装置２００の筐体と別体になっているので，双方向通信装置２０１のメンテナンスや交換が容易にできる。
なお，インターネット等の通信をしない場合はパーソナルコンピュータ３等を接続しなくても良い。
なお，上記で述べたＣＡＴＶ用端末装置の一部又は全部を１つの筐体に収めたものは一般にセットボックスまたはＳＴＢなどと呼ばれている。
【実施例２】
【００２０】
次に本発明の第２の実施形態として図２を参照して説明する。尚，以下の説明では，上記第１の実施形態のＣＡＴＶ用端末装置装置１ａと同様の構成要素については同一符号を付与し，詳細な説明は省略する。
実施例２と実施例１との違いは，筐体の中に放送信号受信装置２００と信号分配器１６を収めた点である。実施例１に比べてよりコンパクトにＣＡＴＶ用端末装置１ｂをまとめることができる。なお，２３はＣＡＴＶ信号出力端子であり，双方向通信装置２０１と接続するための端子である。
【実施例３】
【００２１】
次に本発明の第３の実施形態として図３を参照して説明する。実施例３と実施例１との違いは，筐体の中に放送信号受信装置２００，信号分配器１６，双方向通信装置２０１，ディジタル信号を伝送する接続線２０２を収めた点である。実施例２に比べて更にコンパクトに装置をまとめることができる。
ディジタル信号を伝送する接続線２０２は，たとえばイーサネット（Ｒ）ケーブル，ＵＳＢ（Ｕｎｉｖｅｒｓａｌ  Ｓｅｒｉａｌ  Ｂｕｓ）ケーブル等が用いられる。
【００２２】
ここで，放送信号送出手段は本実施例の衛星アンテナ１１９，地上波用アンテナ１２０，混合器１１７，１２２，１２３，チューナ１０１〜１０６，変調器１０７が相当する。
また，プログラム送出手段は本実施例のＣＡＴＶ用端末装置ダウンロードサーバー１１１，スイッチングハブ１１２，ＣＭＴＳ１１４〜１１６，混合器１１７，１１８が相当する。
また，分岐・分配手段は本実施例の分配器１６が相当する。分岐器を使用してもよい。
【００２３】
尚，本発明は上記実施の形態に限定されるものではなく，以下に例示するように，本発明の趣旨を逸脱しない範囲で各部の構成を適宜に変更して実施することも可能である。
例えば前記実施例では，双方向通信装置２０１はケーブルモデム５とスイッチングハブ４で構成される例を示したが，スイッチングハブ４の代わりにルーターやその他の機器を用いても良い。
上記実施例の説明は，本発明に関する部分を特に示したものであり，ＣＡＴＶシステム，ＣＡＴＶ用端末装置の一般的な機能については省略する。
【図面の簡単な説明】
【００２４】
【図１】本発明に係るＣＡＴＶ用端末装置の実施の形態の１例を示す。
【図２】筐体に放送信号受信装置２００と信号分配器１６を内蔵させた実施の形態の１例を示す。
【図３】筐体に放送信号受信装置２００，信号分配器１６，双方向通信装置２０１，ディジタル信号を伝送する接続線２０２を収めた内蔵させた実施の形態の１例を示す。
【図４】本発明に係るＣＡＴＶシステムの１例を示す。
【符号の説明】
【００２５】
１…ＣＡＴＶ用端末装置，２…テレビジョン受像機，３…パーソナルコンピュータ，４…スイッチングハブ，５…ケーブルモデム，１０…ＣＡＴＶ網，１２…チューナ，１３…制御部，１４…メモリー，１５…分配器入力端子，１６…分配器，１７…信号処理部，１８…ＣＡＴＶ伝送線，２０…ＣＡＴＶ信号入力端子，２１…映像・音声出力端子，２２…プログラム入力端子，２３…ＣＡＴＶ信号出力端子，２４…データ入出力端子，１００…ＣＡＴＶセンター局，１０１，１０２，１０３，１０４，１０５，１０６…チューナ，１０７…変調器，１０８…ＣＡＴＶ用端末装置管理装置，１０９…ケーブルモデム管理装置，１１０…メールサーバー，１１１…ＣＡＴＶ用端末装置ダウンロードサーバー，１１２…スイッチングハブ，１１３…ルーター，１１４，１１５，１１６…ＣＭＴＳ，１１７，１１８…混合器，１１９…衛星アンテナ，１２０…地上波用アンテナ，１２１…ＷＡＮ接続端子，２００…放送信号受信装置，２０１…双方向通信装置，２０２…ディジタル信号を伝送する接続線。
【図１】
2005176111.tif 000003
【図２】
2005176111.tif 000004
【図３】
2005176111.tif 000005
【図４】
2005176111.tif 000006